(57)【要約】【課題】  この発明はシラス魚を茹でて煮干しを製造する過程で、材料に混入することのあるテグスなど、風力選別によって除去しにくい細長い夾雑物を除去することを目的とする。【解決手段】  上記課題は、コンベアベルトの上方にそれを横断する方向に負圧源に通じる吸引管と、その吸引管の上方を覆って下方へ開く吸引カバーとを設け、前記吸引管にその軸方向へ伸びる細長い吸引孔を設けるとともに、前記吸引カバーの内側に前記吸引孔に沿って伸びる高圧電線を配置することによって解決できる。【選択図】        図１
2005080544.tif 000002
【特許請求の範囲】
【請求項１】
コンベアベルトの上方にそれを横断する方向に負圧源に通じる吸引管と、その吸引管の上方を覆ってコンベアベルトの上へ開く吸引カバーとを設け、前記吸引管にその軸方向へ伸びる細長い吸引孔を設けるとともに、前記吸引カバーの内側に前記吸引孔に沿って伸びる高圧電線を配置してなる小魚に混入した異物の除去装置。
【請求項２】
請求項１において、コンベアベルトは網目状ベルトである小魚に混入した異物の除去装置。
【請求項３】
請求項１において、前記吸引管と吸引カバーとを電気絶縁性の合成樹脂によって構成してなる小魚に混入した異物の除去装置。
【請求項４】
請求項１において、前記吸引管と吸引カバーとを電気絶縁性の合成樹脂によって構成するとともに、前記コンベアベルトを支持するフレームを接地電極へ接続してなる小魚に混入した異物の除去装置。
【発明の詳細な説明】
【技術分野】
【０００１】
本発明は、煮干し材料となるシラス魚その他の（以下、シラス魚などという）小魚の中に混入した、魚釣り用のテグスやナイロン糸、あるいは毛髪のような細長い夾雑物（以下、テグスなどという）を効率よく除去するための装置に関する。
【背景技術】
【０００２】
食品として売られる煮干しのなかに異物が混入していると、商品価値を著しく低下させるので、従来から、コンベアに載って移動するシラス魚などに風を送って、嵩比重の大きい小エビその他を除去する嵩比重選別法、あるいは所定の大きさのシラス魚などだけを掬い上げ、あるいは篩い落として選別する網目選別法などが慣用されている。
【０００３】
しかしながら、従来の選別法では煮干し材料と同程度の大きさの異物を除去することはできたが、前記テグスなどはその大部分がシラス魚などの中に埋まってしまうため、これを見付け出すことが容易でないばかりか、たとえ、見付けたとしても、それを自動的に除去する技術は存在せず、人手によって除去しなければならかった。
【０００４】
この対策として、シラス魚などが煮釜のなかを浮遊しているときに、網目の大きい網を使って、テグスなどを掬い上げて除去することも考慮されたが、湯中から細い異物を見つけることが、そもそも困難であったし、あてもなく網で湯中をかき回すことは、いたずらにシラス魚などの魚体を傷つけるおそれがあった。
【特許文献１】特開平７−０３１４２４号公報
【発明の開示】
【発明が解決しようとする課題】
【０００５】
本願発明が解決しようとする課題は、シラス魚などの中に埋もれているテグスなどの端部を露出させることであり、さらに、その露出した端部を引き抜いて外部へ排除する技術を確立することにある。
【課題を解決するための手段】
【０００６】
本発明は、コンベアベルトの上方にそれを横断する方向に負圧源に通じる吸引管と、その吸引管の上方を覆ってコンベアベルトの上へ開く吸引カバーとを設け、前記吸引管にその軸方向へ伸びる細長い吸引孔を設けるとともに、前記吸引カバーの内側に前記吸引孔に沿って伸びる高圧電線を配置することを最も主要な特徴とする。
【発明の効果】
【０００７】
本発明に係る小魚の異物除去装置は、シラス魚などの中に埋もれた状態で移送されるテグスなどがあるとき、その端部を静電気の作用でシラス魚などの中から上方へ起立させることによって、その存在を明確にする。また、起立した端部を気流によって自動的に引き抜いて排除することができる、
などの利点がある。
【発明を実施するための最良の形態】
【０００８】
シラス魚などの中からテグスなどを見付け出し、それを除去する目的を、シラス魚などを傷つけることなく自動的に行うことを可能にした。
【実施例１】
【０００９】
図１は、本発明装置の一実施例の外観図であり、図２はその正面図である。図中、１０は小魚の異物除去装置である。異物除去装置１０は台枠１１によって支持されたベルトコンベア１２からなる。ベルトコンベア１２はステンレス板を折り曲げて組み立てられたフレーム１５を有する。フレーム１５には一端に駆動ローラ１６ａと他端に従動ローラ１６ｂとが設けられ、それらローラ１６ａ、１６ｂに巻回されたコンベアベルト１７と、それを駆動する減速機付きの電動機１８とが支持されている。
【００１０】
コンベアベルト１７は１ｍｍ程度の網目を持つ合成樹脂製の網で作られた、いわゆるメッシュドベルトが使用されている。１９、１９はコンベアベルト１７の両側面を覆うガイド板であり、コンベアベルト１７の縁へ密着して、コンベアベルト１７が幅方向へ移動しないよう位置決めを行うとともに、コンベアベルト１７の上面に載せられたシラス魚などｆが側方に散乱するのを防止している。
【００１１】
フレーム１５にはコンベアベルト１７の上方に位置して、そのコンベアベルト１７を横断して設けられた吸引管２２が支持されている。吸引管２２は合成樹脂によって作られた電気絶縁性の市販品であり、図４で示すように、その下面には吸引管２２の軸方向へ伸びる細長い吸引孔２９が設けられている。吸引管２２は一端が閉じられ、他端がサイクロン２４を介して負圧源たる吸引送風機２６に連通している。また、矢印ｗ２で示すように、コンベアベルト１７の下方に位置して、前記吸引管２２へ向けて送風する送風機を設けてもよい。なお、サイクロン２４は周知のように、空気によって搬送されてきた被搬送物を空気から分離して取り出せるように作用する。
【００１２】
この実施例では、吸引管２２の外方は上側が吸引カバー２７によって覆われている。すなわち、吸引カバー２７は板材を折り返して作られており、吸引管の上方を覆うとともに、下方のコンベアベルト１７へ向けて開口させてある。よって、吸引送風機２６が作動すると、吸引カバー２７下面の圧力が低下し、図４中、矢印ｗ１で示すように、吸引カバー２７の下端部では前後から空気が吹き込むので、コンベアベルト１７の上に載せられたシラス魚ｆなどの表面に強い気流が作用し、嵩比重の大きい夾雑物やテグスなどｔはシラス魚ｆなどの表面に引き出される。
【００１３】
図３、図４で示す３１は吸引孔２９に沿って両側に配置された高圧電線であり、接地電極をなすフレーム１５の対極をなしている。高圧電線３１には１０〜２０ｋｖ（キロボルト）の高い電位が印加されている。よって、吸引カバー２７の下面へ吹き込む気流によって一旦、引き出されたテグスなどｔは、その端部に電荷が集中し、高圧電線３１へ向けて引き寄せられる。そして、高圧電線３１の近傍に配された吸入孔２９を通して吸引管２２内へ吸引され、サイクロン２４に設けた集塵箱２４ａに捕集される。なお、前記吸引カバー２７は高圧電線３１が直接に人手に触れることのない安全カバーとしての機能を有している。
【００１４】
以上のように構成された異物除去装置１０は、図示してない煮釜から釜上げされたシラス魚などｆがコンベアベルト１７上に載せられると、シラス魚などｆはコンベアベルト１７と同電位に帯電する。そして、コンベアベルト１７とともに移動して、吸引管２２を覆う吸引カバー２７の下面に至ると、高圧電線３１の強い電界に入る。
【００１５】
この電界による電磁力はテグスなどｔの尖った端部に集中的に作用するため、テグスなどｔがシラス魚などｆの中に埋没していても端部が高圧電線３１に引かれて、図４で示すように、シラス魚などｆの上面から上方へ起立し、前記吸引孔２９の中へ吸引され除去される。
【図面の簡単な説明】
【００１６】
【図１】本発明装置の一実施例の外観図である。
【図２】その正面図である。
【図３】図２中の矢視ＩＩＩ図である。
【図４】図２中の矢視ＩＶ図である。
【符号の説明】
【００１７】
１０    異物除去装置
１１    台枠
１２    ベルトコンベア
１５    フレーム
１６ａ    駆動ローラ
１６ｂ    従動ローラ
１７    コンベアベルト
１８    電動機
１９    ガイド板
２２    吸引管
２４    サイクロン
２４ａ    集塵箱
２６    吸引送風機
２７    吸引カバー
２９    吸引孔
３１    高圧電線
ｆ    シラス魚など
ｔ    テグスなど
ｗ１    矢印
ｗ２    矢印
【図１】
2005080544.tif 000003
【図２】
2005080544.tif 000004
【図３】
2005080544.tif 000005
【図４】
2005080544.tif 000006